(57)【要約】  本発明はバックライトモジュール及び表示装置に関する。該バックライトモジュールは、光源、導光板及び光調節素子を含む。光源により発生される光線は光源の色度を測定可能である。導光板は光入射面及び光射出面を有する。光源により発生される光線は光入射面を経由して導光板に入り、光射出面から射出される。光調節素子を有する場合、導光板の光射出面は第１導光板の色度を測定可能である。当該第１導光板の色度と前記光源の色度との間には第１差分値を有する。光調節素子を有しない場合、導光板の光射出面は第２導光板の色度を測定可能であり、当該第２導光板の色度と前記光源の色度との間には第２差分値を有する。第１差分値は第２差分値と異なる。【選択図】図１Ａ
2018530129.tif 000002
【特許請求の範囲】
【請求項１】
光源と、
光入射面及び光射出面を有する導光板と、
光調節素子と、
を含み、
前記光源により発生される光線は前記光源の色度を測定可能であり、
前記光源により発生される光線は前記光入射面を経由して前記導光板に入り、前記光射出面から射出され、
前記光調節素子を有する場合、前記導光板の前記光射出面は第１導光板の色度を測定可能であり、前記第１導光板の色度と前記光源の色度との間には第１差分値を有し、
前記光調節素子を有しない場合、前記導光板の前記光射出面は第２導光板の色度を測定可能であり、前記第２導光板の色度と前記光源の色度との間には第２差分値を有し、前記第１差分値は前記第２差分値と異なるバックライトモジュール。
【請求項２】
前記導光板は、さらに前記光射出面に対向する底面を有し、前記光調節素子は前記導光板の前記底面の下方及び／又は前記導光板の前記光射出面の上方に位置し、前記導光板の前記光入射面に近接する側に位置する請求項１に記載のバックライトモジュール。
【請求項３】
さらに、前記導光板の底面に設置された光源反射シートを含み、前記光調節素子は前記光源反射シートと前記底面との間に設置され、前記導光板の前記光入射面に近接する側に位置する請求項１に記載のバックライトモジュール。
【請求項４】
前記光源は、回路基板及び前記回路基板に設置された複数の発光ダイオードを更に含み、
前記光調節素子は前記回路基板と前記導光板との間に設置され、前記導光板の前記光入射面に近接する側に位置する請求項１に記載のバックライトモジュール。
【請求項５】
さらに、前記導光板の前記光射出面に設置された拡散シートを含み、前記光調節素子は前記拡散シートの底面と前記光射出面との間に設置される請求項１に記載のバックライトモジュール。
【請求項６】
前記拡散シート及び前記光調節素子の一方は、前記導光板の前記光入射面を超えるように延伸される請求項５に記載のバックライトモジュール。
【請求項７】
前記光調節素子はインクにより形成された薄膜である請求項１に記載のバックライトモジュール。
【請求項８】
前記光調節素子は色を有し、前記導光板を前記回路基板に貼り付けるための光学接着剤である請求項４に記載のバックライトモジュール。
【請求項９】
請求項１〜８のいずれか一項に記載のバックライトモジュールと、
前記導光板の前記光射出面の前方に位置する表示パネルと、
を含む表示装置。
【請求項１０】
光源と、
光入射面及び光射出面を有する導光板と、
前記導光板の前記光射出面の前方に位置する表示パネルと、
光調節素子と、
を含み、
前記光源により発生される光線は、前記光入射面を経由して前記導光板に入り、前記光射出面から射出され、
前記光調節素子を有する場合、前記導光板の前記光射出面は前記導光板の色度を測定可能であり、前記表示パネルは第１表示パネルの色度を測定可能であり、前記導光板の色度と前記第１表示パネルの色度との間には第１差分値を有し、
前記光調節素子を有しない場合、前記表示パネルは第２表示パネルの色度を測定可能であり、前記第２表示パネルの色度と前記導光板の色度との間には第２差分値を有し、前記第１差分値は前記第２差分値より小さい表示装置。
【請求項１１】
光源と、
光入射面及び光射出面を有する導光板と、
前記導光板の前記光射出面の前方に位置する表示パネルと、
光調節素子と、
を含み、
前記光源により発生される光線は、前記光入射面を経由して前記導光板に入り、前記光射出面から射出され、
前記光調節素子を有する場合、前記導光板の前記光射出面は第１導光板の色度を測定可能であり、前記第１導光板の色度と要求色度との間には第１差分値を有し、
前記光調節素子を有しない場合、前記導光板の前記光射出面は第２導光板の色度を測定可能であり、前記第２導光板の色度と前記要求色度との間には第２差分値を有し、前記第１差分値は前記第２差分値より小さい表示装置。
【請求項１２】
前記導光板は、さらに前記光射出面に対向する底面を有し、前記光調節素子は前記導光板の前記底面の下方及び／又は前記導光板の前記光射出面の上方に位置し、前記導光板の前記光入射面に近接する側に位置する請求項１０又は１１に記載の表示装置。
【請求項１３】
さらに、前記導光板の底面に設置された光源反射シートを含み、前記光調節素子は前記光源反射シートと前記底面との間に設置される請求項１０又は１１に記載の表示装置。
【請求項１４】
前記光源は、回路基板及び前記回路基板に設置された複数の発光ダイオードを更に含み、
前記光調節素子は前記回路基板と前記導光板との間に設置される請求項１０又は１１に記載の表示装置。
【請求項１５】
前記光源は、回路基板及び前記回路基板に設置された複数の発光ダイオードを更に含み、
前記光調節素子は色を有し、前記導光板を前記回路基板に貼り付けるための光学接着剤である請求項１０又は１１に記載の表示装置。
【請求項１６】
前記光調節素子はインクにより形成された薄膜である請求項１０又は１１に記載の表示装置。
【請求項１７】
さらに、前記導光板の前記光射出面に設置された拡散シートを含み、前記光調節素子は前記拡散シートの底面と前記光射出面との間に設置される請求項１０又は１１に記載の表示装置。
【請求項１８】
前記拡散シート及び前記光調節素子の一方は、前記導光板の前記光入射面を超えるように延伸される請求項１７に記載の表示装置。
【発明の詳細な説明】
【技術分野】
【０００１】
本発明は光源部材に関し、特にバックライトモジュール及び表示装置に関する。
【背景技術】
【０００２】
一般的に、表示装置は、主にバックライトモジュール及び表示パネルを含む。バックライトモジュールにおける光源により発生される光線は、直接導光板に入った後、導光板から射出され、表示パネルに入る。
【０００３】
ところが、光源により発生される光線は、導光板及び表示パネルに入る前後に、色差が発生する。又は、光源自身も使用状況又は作製条件の違いによって、その予め設定された色と誤差があるため、表示装置の表示効果に不良な影響を与える。
【発明の概要】
【発明が解決しようとする課題】
【０００４】
従って、本発明は、導光板及び表示パネルの光入射部及び光射出部の色偏差の問題を改善できるバックライトモジュール及び表示装置を提供することを目的とする。
【課題を解決するための手段】
【０００５】
本発明の上記目的により、バックライトモジュールを提供する。当該バックライトモジュールは、光源、導光板及び光調節素子を含む。光源により発生される光線は光源の色度を測定可能である。導光板は光入射面及び光射出面を有し、光源により発生される光線は光入射面を経由して導光板に入り、光射出面から射出される。光調節素子を有する場合、導光板の光射出面では第１導光板の色度を測定可能である。当該第１導光板の色度と前記光源の色度との間には第１差分値を有する。光調節素子を有しない場合、導光板の光射出面では第２導光板の色度を測定可能であり、当該第２導光板の色度と前記光源の色度との間には第２差分値を有する。第１差分値は第２差分値と異なる。
【０００６】
本発明の実施例によれば、上記導光板は、光射出面に対向する底面を更に有する。光調節素子は該導光板の底面の下方及び／又は導光板の光射出面の上方に位置し、且つ導光板の光入射面に近接する側に位置する。
【０００７】
本発明の別の実施例によれば、上記バックライトモジュールは更に光源反射シートを含む。光源反射シートは導光板の底面に設置される。光調節素子は光源反射シートと底面との間に設置され、且つ導光板の光入射面に近接する側に位置する。
【０００８】
本発明の別の実施例によれば、上記光源は、更に回路基板及び複数の発光ダイオードを含む。これらの発光ダイオードは回路基板に設置される。光調節素子は回路基板と導光板との間に設置され、且つ導光板の光入射面に近接する側に位置する。
【０００９】
本発明の別の実施例によれば、上記バックライトモジュールは更に拡散シートを含む。拡散シートは導光板の光射出面に設置される。ここで、光調節素子は拡散シートの底面と光射出面との間に設置される。
【００１０】
本発明のまた別の実施例によれば、前記拡散シート及び光調節素子の一方は導光板の光入射面を超えるように延伸される。
【００１１】
本発明のさらに別の実施例によれば、光調節素子はインクにより形成された薄膜である。
【００１２】
本発明のまた別の実施例によれば、前記光調節素子は色を有し、導光板を回路基板に貼り付けるための光学接着剤である。
【００１３】
本発明の上記目的により、更に表示装置を提供する。当該表示装置は前記バックライトモジュール及び表示パネルを含む。表示パネルは導光板の光射出面の前方に位置する。
【００１４】
本発明の上記目的により、更に表示装置を提供する。当該表示装置は、光源、導光板、表示パネル及び光調節素子を含む。導光板は光入射面及び光射出面を有し、光源により発生される光線は光入射面を経由して導光板に入り、光射出面から射出される。表示パネルは導光板の光射出面の前方に位置する。ここで、光調節素子を有する場合、導光板の光射出面は導光板の色度を測定可能であり、表示パネルは第１表示パネルの色度を測定可能であり、導光板の色度と第１表示パネルの色度との間には第１差分値を有する。光調節素子を有しない場合、表示パネルは第２表示パネルの色度を測定可能であり、当該第２表示パネルの色度と導光板の色度との間には第２差分値を有し、且つ第１差分値は第２差分値より小さい。
【００１５】
本発明の上記目的により、更に表示装置を提供する。当該表示装置は、光源、導光板、表示パネル及び光調節素子を含む。導光板は光入射面及び光射出面を有し、光源により発生される光線は光入射面を経由して導光板に入り、光射出面から射出される。表示パネルは導光板の光射出面の前方に位置する。ここで、光調節素子を有する場合、導光板の光射出面は第１導光板の色度を測定可能であり、第１導光板の色度と要求色度との間には第１差分値を有する。光調節素子を有しない場合、導光板の光射出面は第２導光板の色度を測定可能である。第２導光板の色度と要求色度との間には第２差分値を有し、且つ第１差分値は第２差分値より小さい。
【００１６】
本発明の実施例によれば、導光板は光射出面に対向する底面を更に有し、光調節素子は導光板の底面の下方及び／又は導光板の光射出面の上方に位置し、且つ導光板の光入射面に近接する側に位置する。
【００１７】
本発明の別の実施例によれば、上記表示装置は更に光源反射シートを含む。光源反射シートは導光板の底面に設置され、光調節素子は光源反射シートと底面との間に設置される。
【００１８】
本発明のまた別の実施例によれば、上記光源は更に回路基板及び複数の発光ダイオードを含む。これらの発光ダイオードは回路基板に設置される。ここで、光調節素子は回路基板と導光板との間に設置される。
【００１９】
本発明のさらに別の実施例によれば、上記光調節素子は色を有し、導光板を回路基板に貼り付けるための光学接着剤である。
【００２０】
本発明のまた別の実施例によれば、上記光調節素子はインクにより形成された薄膜である。
【００２１】
本発明のさらに別の実施例によれば、上記表示装置は更に拡散シートを含む。拡散シートは導光板の光射出面に設置され、光調節素子は拡散シートの底面と光射出面との間に設置される。
【００２２】
本発明のまた別の実施例によれば、上記拡散シート及び光調節素子の一方は導光板の光入射面を超えるように延伸されている。
【発明の効果】
【００２３】
以上から分かるように、本発明は、光調節素子を設置することによって、導光板の入射光の色度と射出光の色度との間、導光板の射出光の色度と表示パネルの射出光の色度との間、又は導光板の入射光の色度と表示パネルの射出光の色度との間の色度差分値を低減させ、更に光源と導光板との間、導光板と表示パネルとの間、又は導光板と要求色度との間の色偏差を低減させ、改善させる。
【００２４】
実施例及びその利点をより完全に理解させるために、図面を参照して、以下のように説明する。
【図面の簡単な説明】
【００２５】
【図１Ａ】本発明の第１実施形態によるバックライトモジュールの装置模式図を示す。
【図１Ｂ】本発明の第１実施形態によるバックライトモジュールの平面図を示す。
【図１Ｃ】本発明の第１実施形態による光源の色度と第１導光板の色度及び第２導光板の色度との間の差分値の模式図を示す。
【図２Ａ】１９３１年の国際照明委員会（Ｉｎｔｅｒｎａｔｉｏｎａｌ  Ｃｏｍｍｉｓｓｉｏｎ  ｏｎ  Ｉｌｌｕｍｉｎａｔｉｏｎ、ＣＩＥ）の色度図を示す。
【図２Ｂ】Ｕ軸の色差分値変化の模式図を示す。
【図２Ｃ】Ｖ軸の色差分値変化の模式図を示す。
【図３】光調節素子を使用していないバックライトモジュールの装置模式図を示す。
【図４】光調節素子を使用する光強度及び光調節素子を使用しない光強度の比較図を示す。
【図５】異なるインク濃度により形成された光調節素子の導光板の光入射部と逆光入射部との色度差に対する影響を示す。
【図６Ａ】本発明の第２実施形態による表示装置の装置模式図を示す。
【図６Ｂ】本発明の第２実施形態による別の表示装置の装置模式図を示す。
【図６Ｃ】本発明の第２実施形態による導光板の色度と第１表示パネルの色度及び第２表示パネルの色度との間の差分値の模式図を示す。
【図６Ｄ】本発明の第２実施形態による要求色度と第１導光板の色度及び第２導光板の色度との間の差分値の模式図を示す。
【図７】光調節素子を使用しない表示装置の装置模式図を示す。
【図８】本発明の第３実施形態によるバックライトモジュールの装置模式図を示す。
【図９】本発明の第４実施形態によるバックライトモジュールの装置模式図を示す。
【図１０】本発明の第５実施形態によるバックライトモジュールの装置模式図を示す。
【図１１】本発明の第６実施形態によるバックライトモジュールの装置模式図を示す。
【図１２】本発明の第７実施形態によるバックライトモジュールの装置模式図を示す。
【発明を実施するための形態】
【００２６】
図１Ａ及び図１Ｂを参照すると、本発明の第１実施形態によるバックライトモジュールの装置模式図及び平面図を示す。本実施形態にかかるバックライトモジュール１００は、光源１２０、導光板１４０、光調節素子１６０及び光源反射シート１８０を含む。導光板１４０は光入射面１４１、光射出面１４３及び底面１４５を有する。光射出面１４３は底面１４５に対向し、光入射面１４１は光射出面１４３及び底面１４５に接続されている。実施例において、導光板１４０は光学接着剤１３０により光源１２０に接続されている。図１Ａ及び図１Ｂに示すように、光源反射シート１８０は、導光板１４０の底面１４５の下方に設置され、且つ導光板１４０の光入射面１４１に近接する側に位置し、光調節素子１６０は底面１４５と光源反射シート１８０との間に設置されている。そのため、光源１２０により発生される一部の光線は、直接光入射面１４１から導光板１４０に入り、光射出面１４３から射出することができ、光源１２０により発生される他の光線は、光調節素子１６０により反射された後、導光板１４０の底面１４５から導光板１４０に入り、光射出面１４３から射出することができる。
【００２７】
図１Ａ、図１Ｃ及び図２Ａを同時に参照すると、図１Ｃは本発明の第１実施形態による光源の色度と第１導光板の色度及び第２導光板の色度との間の差分値模式図を示し、図２Ａは１９３１年のＣＩＥ色度図を示す。ここで、図２Ａにおける４６０ｎｍ〜７７０ｎｍは光波長を表す。図１Ａに示すように、光源１２０により発生される光線は光源の色度（ｃｈｒｏｍａｔｉｃｉｔｙ）を測定することができる。該光源の色度は、図２Ａに示す１９３１年のＣＩＥ色度図における一点により表された色度座標で示すことができる。そして、光源１２０により発生される光線が、光調節素子１６０により作用され導光板１４０から射出された後、導光板１４０の光射出面１４３は第１導光板の色度を測定することができる。当該第１導光板の色度は、同様に、図２Ａに示す１９３１年のＣＩＥ色度図における一点により表された色度座標で示すことができる。ここで、図１Ｃに示すように、第１導光板の色度と光源の色度との間には第１差分値Ｄ１又はＤ１’を有する。即ち、光源１２０により発生される光線は第１色を有し、導光板１４０の光射出面１４３から射出される光線は第２色を有し、且つ第２色は第１色と異なる。
【００２８】
また、図２Ａ及び図３を同時に参照すると、図３は光調節素子を使用しないバックライトモジュールの装置模式図を示す。図３に示すバックライトモジュール２００は、前記光源１２０、導光板１４０及び光源反射シート１８０を含むが、図１Ａ及び図１Ｂに示す光調節素子１６０を含まない。バックライトモジュール２００において、光源１２０により発生される一部の光線は直接光入射面１４１から導光板１４０に入り、光射出面１４３から射出されることができ、光源１２０により発生される他の光線は直接光源反射シート１８０により反射された後、導光板１４０の底面１４５から導光板１４０に入り、光射出面１４３から射出される。そのため、光源１２０により発生される光線が、光調節素子１６０により作用されず、導光板１４０から射出された後、導光板１４０の光射出面１４３は第２導光板の色度を測定することができる。当該第２導光板の色度は、同様に、図２Ａに示す１９３１年のＣＩＥ色度図における一点により表された色度座標で示すことができる。図１Ｃを再度参照すると、本実施例において、第２導光板の色度と光源の色度との間には第２差分値Ｄ２を有する。即ち、光調節素子１６０を有しない場合、導光板１４０の光射出面１４３により測定された光線は第３色を有し、当該第３色は第１色と異なり、第２色とも異なる。
【００２９】
図１Ｃに示すように、実施例において、第１差分値Ｄ１又はＤ１’は第２差分値Ｄ２と異なる。本実施例において、第１差分値Ｄ１又はＤ１’は第２差分値Ｄ２より小さい。一般的に、光源１２０により発生される光線は、光調節素子１６０により作用されず、導光板１４０から射出された後、色偏差（第２差分値Ｄ２）が発生する。光調節素子１６０を有する場合、導光板１４０により入射された光線の色と光射出面１４３から射出された光線の色との色差分値（第１差分値Ｄ１又はＤ１’）は小さく、即ち色偏差の度合いが小さい。そのため、光調節素子１６０は、入射光と射出光との間の色度差分値を低減させ、光源１２０により発生される光線が導光板１４０を経た後、色偏差が発生する問題を改善する働きをする。なお、本明細書に言及された「色偏差」とは、第２差分値Ｄ２により発生する色偏差であり、通常は、人が目視可能な色偏差である。しかし、ここで言う第１差分値Ｄ１又はＤ１’は小さく、色偏差の度合いが小さく、人が直接目視できない色偏差を指す（又は、色偏差がないと見なすことができる）。一般的に、製品は使用又は組立の過程に、いずれも誤差が発生し、そのため、第１差分値Ｄ１又はＤ１’はユーザ（又は、メーカー）の必要に応じて受入れ可能な合理的な範囲に設定される。
【００３０】
本実施例において、光調節素子１６０は同様に色を有し、当該光調節素子１６０の色は、同様に、図２Ａに示す１９３１年のＣＩＥ色度図における一点により表された色度座標で示すことができる。そのため、光源１２０により発生された光線が、光調節素子１６０により作用された後、光線の導光板１４０の光射出面１４３から射出された後の色を変更することができる。
【００３１】
実施例において、光調節素子１６０の色は光源の色度で表された色の相補的な色である。以下の方式により相補的な色を選択することができ、即ち、図２Ａに示すＣＩＥ色度図において白色領域内の点Ｐ０を通過する線分、例えば線分Ａ１を描画し、該線分Ａ１の両端は白色領域内に位置しない。該線分の２つの端点の所在する色度座標により表される色は相補的な色である。図２Ａの線分Ａ１を例とする場合、線分Ａ１の２つの端点はそれぞれ青色及び黄緑色であり、青色と黄緑色が相補的な色であることを表す。即ち、青色を帯びた光線を点Ｐ０により表された白光に調整すると想定する場合、黄緑色を帯びた光調節素子１６０を使用しなければならない。更に、光調節素子１６０の色の濃さは青色を帯びた光線の変化幅を決定することもできる。即ち、線分Ａ１の両端から点Ｐ０までの距離は色の濃さにより調整することができる。
【００３２】
図２Ｂ及び図２Ｃを同時に参照すると、図２Ｂ及び図２ＣはそれぞれＵ軸及びＶ軸の色差分値の変化模式図を示す。代表的な例において、光調節素子１６０を有しない場合、図２Ｂ及び図２Ｃに示すラインＵ１及びラインＶ１は光入射部に近接するＵ値及びＶ値が小さく、逆光入射部に近接するＵ値及びＶ値が大きくなることを表し、色差分値が大きくなる。光調節素子１６０を使用した後、図２Ｂ及び図２Ｃに示すラインＵ２及びラインＶ２に示すように、光入射部に近接する元々低いＵ値及びＶ値を高いＵ値及びＶ値に向上させ、光入射部から一定の距離離れたＵ値及びＶ値と光入射部に近接するＵ値及びＶ値との差があまり大きくないようにすることができる。以上から分かるように、光調節素子１６０の使用は、光入射部の色偏差の問題を明らかに改善することができ、後端の色差状況に過度な影響を与えることもない。
【００３３】
図１Ａ、図３及び図４を同時に参照すると、図４は光調節素子を使用する光強度及び光調節素子を使用しない光強度の比較図を示す。光調節素子１６０を使用しない場合、図４に示す曲線Ｌ１のように、光源１２０により発生される光線は青色を帯びた白光である。黄色の光調節素子１６０を使用する場合、光源１２０により発生される光線は光調節素子１６０により反射された後、青色を帯びていない（又は黄色を帯びていない）光の効果（図４の曲線Ｌ２に示すように）を奏する。図４の例において、光源１２０により発生される光線が青色を帯びた白光である場合、黄色に赤色を加えた光調節素子１６０を使用することにより、光調節素子１６０を使用しない構造に対して、青光波長のエネルギーを８．５％低減し、緑光のエネルギーを５．６％低減することができる。このように、光調節素子１６０によりバックライトモジュール１００の光入射部の青光エネルギーと緑光エネルギーを低減し、よってバックライトモジュール１００の光入射部の色度Ｕ値及びＶ値を向上させ、色差分値を低減させる目的を達成する。なお、光源１２０により発生される光線が青色を帯びた白光であり、光調節素子１６０が黄色であることは例示的な説明であり、本発明を制限するものではない。その他の実施例において、光調節素子１６０の色は、光源１２０により発生される光線の色又は光源１２０により発生される光線の導光板１４０に入った後の色に基づき、設計される。
【００３４】
図１Ａを参照すると、本実施例において、光調節素子１６０は光源反射シート１８０に設置され、導光板１４０の底面１４５と光源反射シート１８０との間に位置する。一部の例において、光調節素子１６０はインクにより形成された薄膜であり、貼付により直接光源反射シート１８０に貼り付けられてもよく、印刷塗布することによって光源反射シート１８０に直接形成されてもよい。
【００３５】
図１Ａ及び図５を同時に参照すると、図５は異なるインク濃度により形成された光調節素子の導光板の光入射部と逆光入射部との色度差に対する影響を示す。一部の例において、異なる濃度のインクにより形成された光調節素子１６０の光源１２０により発生される光線に対する影響効果は異なる。例えば、光調節素子１６０のインク濃度が高いほど、導光板１４０の光入射部と逆光入射部との色度差分値は小さい。例えば、濃度４％のインクにより形成された光調節素子１６０により発生される導光板１４０の光入射部と逆光入射部との色度差分値は、濃度１％のインクにより形成された光調節素子１６０により発生される導光板１４０の光入射部と逆光入射部との色度差分値よりも小さい。
【００３６】
図６Ａ及び図６Ｃを同時に参照すると、図６Ａは本発明の第２実施形態による表示装置の装置模式図を示し、図６Ｃは本発明の第２実施形態による導光板の色度と第１表示パネルの色度及び第２表示パネルの色度との間の差分値模式図を示す。図１Ａに示すバックライトモジュール１００が表示装置３００に応用される場合、前述のように、光源１２０により発生される光線が、光調節素子１６０により作用され、導光板１４０から射出された後、導光板１４０の光射出面１４３は導光板の色度を測定することができる。当該導光板の色度は、同様に、図２Ａに示す１９３１年のＣＩＥ色度図における一点により表された色度座標で示すことができる。光線が導光板１４０の光射出面１４３から射出された後、直接導光板１４０の前方に設置された表示パネル３１０に入り、表示パネル３１０から出射される。この時、図６Ｃに示すように、表示パネル３１０は更に第１表示パネルの色度を測定することができる。当該第１表示パネルの色度は、同様に、図２Ａに示す１９３１年のＣＩＥ色度図における一点により表された色度座標で示すことができる。ここで、第１表示パネルの色度と導光板の色度との間には、第１差分値Ｄ３又はＤ３’を有する。即ち、導光板１４０の光射出面１４３から射出された光線は第１色を有し、表示パネル３１０から射出された光線は第２色を有し、第２色は第１色と異なる。また、６Ｂを参照すると、本発明の第２実施形態による別の表示装置の装置模式図を示す。図１Ａに示すバックライトモジュール１００は、更に図６Ｂに示す表示装置３００’に応用される。図６Ｂに示す表示装置３００’の構造は図６Ａに示す表示装置３００とほぼ同様であるため、ここでその説明を省略する。
【００３７】
また、図３及び図７を同時に参照すると、光調節素子を使用しない表示装置の装置模式図を示す。図３に示すバックライトモジュール２００が表示装置４００に応用される場合、バックライトモジュール２００は図１Ａに示す光調節素子１６０を含まないため、光源１２０により発生される一部の光線は直接光入射面１４１から導光板１４０に入り、光射出面１４３から射出される。光線は導光板１４０の光射出面１４３から射出された後、直接導光板１４０の前方に設置された表示パネル３１０に入り、表示パネル３１０から出射される。この時、表示パネル３１０は、更に第２表示パネルの色度を測定することができる。当該第２表示パネルの色度は、同様に、図２Ａに示す１９３１年のＣＩＥ色度図における一点により表された色度座標で示すことができる。光調節素子１６０を有しない場合、導光板１４０の光射出面１４３から射出された光線は表示パネル３１０を経た後、第３色を有する。図６Ｃを再度参照すると、本実施例において、第２表示パネルの色度と導光板の色度との間には第２差分値Ｄ４を有し、即ち、当該第３色は光調節素子１６０により調光された後に導光板１４０から出射された光線の第１色と異なり、第２色とも異なる。
【００３８】
図６Ｃに示すように、本実施例において、第１差分値Ｄ３又はＤ３’は第２差分値Ｄ４より小さい。即ち、光調節素子１６０を有する場合、導光板１４０の光射出面１４３から射出された光線が表示パネル３１０を経た後の色偏差は光調節素子１６０を有しない場合より小さい。同様に、光調節素子１６０は色を有し、光調節素子１６０の色は、前述の光調節素子１６０を有しない場合で測定された第２表示パネルの色度に基づいて設計される。そのため、光源１２０により発生される光線が、光調節素子１６０により作用された後、光線の導光板１４０の光射出面１４３及び表示パネル３１０から射出された後の色を変更することができる。
【００３９】
以上から分かるように、光調節素子１６０を有しない場合、光源１２０により発生される光線自身は光源の色度を有し、導光板１４０から出射された後の光線は導光板の色度を有し、且つ導光板１４０の光射出面１４３から射出され、表示パネル３１０に入り、表示パネル３１０から射出された光線も表示パネルの色度を有する。これらの色度同士の差分値が大きいほど、その色偏差が大きくなることを表す。そのため、これらの色度同士の差分値を低減させるために、これらの色度を基準値として光調節素子１６０の色を設計することができる。図２Ａの線分Ａ１を例として、青色を帯びた光線を点Ｐ０により表される白光に調整すると想定する場合、黄緑色を帯びた光調節素子１６０を選択し使用することができる。また、光調節素子１６０の色の濃さも点Ｐ０までの距離によって変化することができる。
【００４０】
一方、ユーザ（又はメーカー）は、更に表示装置の要求色度を提供することができ、ユーザ（又はメーカー）により提供された要求色度に近接又はそれと同一にするために、光調節素子１６０によって表示装置の射出光の色度を調整することができる。図６Ａ及び図６Ｄを同時に参照すると、図６Ｄは本発明の第２実施形態による要求色度と第１導光板の色度及び第２導光板の色度との間の差分値模式図を示す。光調節素子１６０を有する場合、光源１２０により発生される光線が、光調節素子１６０により反射され、導光板１４０から射出された後、導光板１４０の光射出面１４３は第１導光板の色度を測定することができる。当該第１導光板の色度は、同様に、図２Ａに示す１９３１年のＣＩＥ色度図における一点により表された色度座標で示すことができる。導光板１４０から射出された光線が表示パネル３１０を経て出射された後の色度が変わらないと想定する場合、当該第１導光板の色度と要求色度との間には第１差分値Ｄ５又はＤ５’を有する。また、図６Ｄ及び図７に示すように、光調節素子１６０を有しない場合、光源１２０により発生される光線が導光板１４０から射出された後、導光板１４０の光射出面１４３は第２導光板の色度を測定することができる。当該第２導光板の色度は、同様に、図２Ａに示す１９３１年のＣＩＥ色度図における一点により表された色度座標で示すことができる。導光板１４０から射出された光線が表示パネル３１０を経て出射された後の色度が変わらないと想定する場合、当該第２導光板の色度と要求色度との間には第２差分値Ｄ６を有する。本実施例において、第１差分値Ｄ５又はＤ５’は第２差分値Ｄ６より小さい。即ち、第１差分値Ｄ５又はＤ５’が小さいほど、導光板の色度がユーザ（又はメーカー）により提供された要求色度に近接することを表す。図２Ａを例として、点Ｐ０により表された色の光線がユーザ（又はメーカー）により提供された要求色度であり、第２導光板の色度が青色を帯びたと想定する場合、線分Ａ１から分かるように、黄緑色を帯びた光調節素子１６０を選択することによって、青色を帯びた光線を点Ｐ０により表された色（即ち、第１導光板の色度）に近接するように変更することができる。また、光調節素子１６０の色の濃さも点Ｐ０までの距離によって変化することができる。
【００４１】
本発明において、光調節素子は異なる位置に設置されてもよい。図８を参照すると、本発明の第３実施形態によるバックライトモジュールの装置模式図を示す。本実施形態において、バックライトモジュール５００は、光源５２０、導光板５４０及び光調節素子５６０を含む。導光板５４０は、光入射面５４１、光射出面５４３及び底面５４５を有する。光射出面５４３は底面５４５に対向し、光入射面５４１は光射出面５４３及び底面５４５に接続されている。図８に示すように、光源５２０は回路基板５２１及び回路基板５２１に設置された複数の発光ダイオード５２３を含み、ここで、発光ダイオード５２３は回路基板５２１に電気的に接続されている。導光板５４０の底面５４５の一部は光学接着剤５３０により回路基板５２１に貼り付けられる。本実施例において、光調節素子５６０は回路基板５２１に設置され、導光板５４０の底面５４５の光入射面５４１に近接する側に位置する。そのため、発光ダイオード５２３により発生される一部の光線は直接光入射面５４１から導光板５４０に入り、光射出面５４３から射出され、発光ダイオード５２３により発生される他の光線は光調節素子５６０により反射された後、導光板５４０の底面５４５から導光板５４０に入り、光射出面５４３から射出される。なお、光調節素子５６０の機能及び構造の設計は前記光調節素子１６０の機能及び構造の設計と同様であるため、ここでその説明を省略する。
【００４２】
また、図９を参照すると、本発明の第４実施形態によるバックライトモジュールの装置模式図を示す。本実施例において、バックライトモジュール６００の構造は、バックライトモジュール５００とほぼ同様であり、光源５２０の回路基板５２１が導光板５４０の光射出面５４３に設置されている点で相違しているだけである。即ち、導光板５４０の光射出面５４３の一部は光学接着剤５３０により光源５２０の回路基板５２１に貼り付けられる。本実施例において、光調節素子５６０は回路基板５２１に設置され、導光板５４０の光射出面５４３の光入射面１４１に近接する側に位置する。そのため、発光ダイオード５２３により発生される一部の光線は直接光入射面５４１から導光板５４０に入り、光射出面５４３から射出され、発光ダイオード５２３により発生される他の光線は導光板５４０に入り、光調節素子５６０により反射された後に光射出面５４３から射出されることで、前記光調節素子１６０と同じ効果を達成することができる。
【００４３】
図１０を参照すると、本発明の第５実施形態によるバックライトモジュールの装置模式図を示す。本実施形態において、バックライトモジュール７００はバックプレート７１０、光源７２０、導光板７３０、第１光調節素子７４０、第２光調節素子７５０及び光源反射シート７６０を含む。図１０に示すように、導光板７３０は光学接着剤７７１によりバックプレート７１０に貼り付けられる。光源反射シート７６０は導光板７３０の底面７３５の下方、且つ光入射面７３１に近接する側に設置され、第１光調節素子７４０は底面７３５と光源反射シート７６０との間に設置されている。光源７２０は回路基板７２１及び回路基板７２１に設置された複数の発光ダイオード７２３を含む。光源７２０の回路基板７２１は導光板７３０の光射出面７３３に設置され、導光板７３０の光射出面７３３の一部は光学接着剤７７３により光源７２０の回路基板７２１に貼り付けられる。本実施例において、第２光調節素子７５０は回路基板７２１に設置され、導光板７３０の光射出面７３３の光入射面７３１に近接する側に位置する。そのため、発光ダイオード７２３により発生される一部の光線は第１光調節素子７４０により反射された後、光射出面７３３から射出され、他の光線は導光板７３０に入り、第２光調節素子７５０により反射された後に光射出面７３３から射出される。同様に、前記光調節素子１６０と同じ効果を達成することができる。
【００４４】
本発明において、光調節素子は光学接着剤の形式に設計されてもよい。図１１を参照すると、本発明の第６実施形態によるバックライトモジュールの装置模式図を示す。本実施形態において、バックライトモジュール８００は、光源８２０、導光板８４０及び光調節素子８６０を含む。導光板８４０は、光入射面８４１、光射出面８４３及び底面８４５を有する。光射出面８４３は底面８４５に対応し、光入射面８４１は光射出面８４３及び底面８４５に接続されている。図８に示すように、光源８２０は回路基板８２１及び回路基板８２１に設置された複数の発光ダイオード８２３を含み、発光ダイオード８２３は回路基板８２１に電気的に接続されている。なお、本実施形態の光調節素子８６０自身は光学接着剤であり、粘着性を有する。そのため、導光板８４０の底面８４５の一部は光調節素子８６０により直接回路基板８２１に貼り付けられる。実施例において、光調節素子８６０は回路基板８２１に設置され、導光板８４０の底面８４５の光入射面８４１に近接する側に位置する。
【００４５】
図１１を続けて参照すると、光調節素子８６０は同様に色を有し、この光調節素子８６０の色は、同様に、図２Ａに示す１９３１年のＣＩＥ色度図における一点により表された色度座標で示すことができる。そのため、発光ダイオード８２３により発生される一部の光線は直接光入射面８４１から導光板８４０に入り、光射出面８４３から射出され、発光ダイオード８２３により発生される他の光線は光調節素子８６０により反射された後、導光板８４０の底面８４５から導光板８４０に入り、光射出面８４３から射出される。そのため、光源８２０により発生される光線が光調節素子８６０により作用された後、光線の導光板８４０の光射出面８４３から射出された後の色を変更することができる。本実施例において、光源８２０の回路基板８２１は導光板８４０の底面８４５に設置されている。その他の実施例において、光源８２０の回路基板８２１は導光板８４０の光射出面８４３に設置されてもよい。即ち、導光板８４０の光射出面８４３の一部は光調節素子８６０により光源８２０の回路基板８２１に貼り付けられる。
【００４６】
本発明において、光調節素子は異なる位置に設置されてもよい。図１２を参照すると、本発明の第７実施形態によるバックライトモジュールの装置模式図を示す。本実施形態において、バックライトモジュール９００は、光源９２０、導光板９４０、拡散シート９６０及び光調節素子９８０を含む。導光板９４０は、光入射面９４１、光射出面９４３及び底面９４５を有する。光射出面９４３は底面９４５に対向し、光入射面９４１は光射出面９４３及び底面９４５に接続されている。図１２に示すように、光源９２０は回路基板９２１及び回路基板９２１に設置された複数の発光ダイオード９２３を含み、発光ダイオード９２３は回路基板９２１に電気的に接続されている。導光板９４０の底面９４５の一部は光学接着剤９３０により回路基板９２１に貼り付けられる。
【００４７】
図１２を続けて参照すると、本実施例において、拡散シート９６０は導光板９４０の光射出面９４３に設置され、拡散シート９６０の数は複数であり、最下層の拡散シート９６０の一方は導光板９４０の光入射面９４１を超えるように延伸される。光調節素子９８０は最下層の拡散シート９６０の底面と導光板９４０の光射出面９４３との間に設置され、好ましくは、光調節素子９８０は最下層の拡散シート９６０の一方で導光板９４０の光入射面９４１を超えるように延伸され、発光ダイオード９２３の一部を被覆する。そのため、発光ダイオード９２３により発生される一部の光線は直接光入射面９４１から導光板９４０に入り、光射出面９４３から射出され、発光ダイオード９２３により発生される他の光線は光調節素子９８０により反射され、導光板９４０に入った後、光射出面９４３から射出される。なお、光調節素子９８０の機能及び構造設計は前記光調節素子１６０の機能及び構造設計と同様であるため、ここでその説明を省略する。
【００４８】
上記本発明の実施形態から分かるように、本発明は、光調節素子を設置することによって、光源の色度と導光板の射出光の色度との間、導光板の射出光の色度と表示パネルの射出光の色度との間、又は導光板の射出光の色度と要求色度との間の色度差分値を低減させ、更に光源と導光板との間、導光板と表示パネルとの間、又は導光板と要求色度との間の色偏差を低減させ、改善させる。
【００４９】
本発明は実施形態により上記のとおり開示しているが、これらの実施形態は本発明を限定するものではなく、当業者であれば、本発明の主旨及び範囲を逸脱しない限り、様々な変更及び潤飾を行うことができ、故に本発明の保護範囲は添付された特許請求の範囲により限定された範囲に準ずるべきである。
【符号の説明】
【００５０】
１００  バックライトモジュール
１２０  光源
１３０  光学接着剤
１４０  導光板
１４１  光入射面
１４３  光射出面
１４５  底面
１６０  光調節素子
１８０  光源反射シート
２００  バックライトモジュール
３００  表示装置
３００’  表示装置
３１０  表示パネル
４００  表示装置
５００  バックライトモジュール
５２０  光源
５２１  回路基板
５２３  発光ダイオード
５４０  導光板
５４１  光入射面
５４３  光射出面
５４５  底面
５６０  光調節素子
６００  バックライトモジュール
７００  バックライトモジュール
７１０  バックプレート
７２０  光源
７２１  回路基板
７２３  発光ダイオード
７３０  導光板
７４０  第１光調節素子
７５０  第２光調節素子
７６０  光源反射シート
７７１  光学接着剤
７７３  光学接着剤
８００  バックライトモジュール
８２０  光源
８２１  回路基板
８２３  発光ダイオード
８４０  導光板
８４１  光入射面
８４３  光射出面
８４５  底面
８６０  光調節素子
９００  バックライトモジュール
９２０  光源
９２１  回路基板
９２３  発光ダイオード
９３０  光学接着剤
９４０  導光板
９４１  光入射面
９４３  光射出面
９４５  底面
９６０  拡散シート
９８０  光調節素子
Ａ１  線分
Ｄ１  第１差分値
Ｄ１’  第１差分値
Ｄ２  第２差分値
Ｄ３  第１差分値
Ｄ３’  第１差分値
Ｄ４  第２差分値
Ｄ５  第１差分値
Ｄ５’  第１差分値
Ｄ６  第２差分値
Ｐ０  点
Ｌ１  曲線
Ｌ２  曲線
Ｕ１  ライン
Ｕ２  ライン
Ｖ１  ライン
Ｖ２  ライン
【図１Ａ】
2018530129.tif 000003
【図１Ｂ】
2018530129.tif 000004
【図１Ｃ】
2018530129.tif 000005
【図２Ａ】
2018530129.tif 000006
【図２Ｂ】
2018530129.tif 000007
【図２Ｃ】
2018530129.tif 000008
【図３】
2018530129.tif 000009
【図４】
2018530129.tif 000010
【図５】
2018530129.tif 000011
【図６Ａ】
2018530129.tif 000012
【図６Ｂ】
2018530129.tif 000013
【図６Ｃ】
2018530129.tif 000014
【図６Ｄ】
2018530129.tif 000015
【図７】
2018530129.tif 000016
【図８】
2018530129.tif 000017
【図９】
2018530129.tif 000018
【図１０】
2018530129.tif 000019
【図１１】
2018530129.tif 000020
【図１２】
2018530129.tif 000021
【国際調査報告】
2018530129.tif 000022
2018530129.tif 000023
2018530129.tif 000024
2018530129.tif 000025
2018530129.tif 000026
2018530129.tif 000027